(57)【特許請求の範囲】
【請求項１】
絶縁性の素材から成るもので、
碍子取付具が装着可能な通孔を有する多面体のブロック状の碍子本体と、前記碍子本体の所要の面から突出して架線を引き掛けることができる複数の引き掛け部とを備え、
前記複数の引き掛け部のうちの少なくとも１の引き掛け部は、前記碍子本体に回転自在に取り付けられた回転軸と、前記回転軸と一体に回転する円板とで構成され、前記円板の円周面には前記円板が回転するときに当該円周面に接した前記架線が滑るのを防止する滑り止め手段が形成された回転引き掛け部であると共に、
前記回転軸の回転を一方向のみに規制する回転方向規制機構を有することを特徴とするバインドレス碍子。
【請求項２】
前記回転方向規制機構は、
前記回転軸と一体に回転する歯車と、前記碍子本体の所要の面に軸体を介して揺動可能に取り付けられた係合部材とで構成され、
前記係合部材に形成された爪部が前記軸体を中心として揺動することにより、前記歯車の歯と前記係合部材との係合及びその解除が行われることを特徴とする請求項１に記載のバインドレス碍子。
【請求項３】
前記回転軸の回転中心に回転伝達用の棒体を装着するための装着孔が形成されていることを特徴とする請求項１又は請求項２に記載のバインドレス碍子。
【請求項４】
前記碍子本体の前記回転引き掛け部よりも端側に、前記回転引き掛け部に遠近する方向に変位する押さえ部材が配置されていることを特徴とする請求項１から請求項３のいずれかに記載のバインドレス碍子。
【請求項５】
前記碍子取付具が装着可能な通孔は、前記碍子本体の最も先端側に配置されていると共に、前記碍子本体の通孔を有する先端部は、前記碍子本体の他の部位に対し相対的に回転可能に連結されていることを特徴とする請求項１から請求項４のいずれかに記載のバインドレス碍子。
【請求項６】
請求項１から請求項５のいずれかに記載のバインドレス碍子を用いた架線の張弛調整方法であって、
前記架線を、前記複数の引き掛け部のうちの前記回転引き掛け部の円板の円周面に掛け渡した状態を維持しつつ、他の引き掛け部からは外した状態する工程と、
前記回転方向規制機構で前記回転軸を所要の方向にのみ回転するように規制する工程と、
前記回転軸を所要の方向に回転させることにより前記円板も回転させて前記架線を所要の方向に引っ張る工程と
から成ることを特徴とする架線の張弛調整方法。
【発明の詳細な説明】
【技術分野】
【０００１】
この発明は、低圧引込線等の架線を腕金等の被支持体に装着するためのバインドレス碍子に関し、特に架線の張りや弛みを簡易に調整することができるバインドレス碍子、並びにこのバインドレス碍子を用いて架線の張りや弛みを調整する方法に関する。
【背景技術】
【０００２】
低圧引込線（以下、ＤＶ電線と称する。）を既設の電柱の腕金等に取り付ける場合には、例えば特許文献１及び特許文献２に示されるように、腕金の両端に設けられた笠形状の引込線引留器具に、例えば略８の字の線状の碍子取付具を介してバインドレス碍子を装着し、このバインドレス碍子にＤＶ電線を掛止めさせるのが一般的である。
【０００３】
そして、バインドレス碍子には、細径のＤＶ電線用と、太径のＤＶ電線用とがあり、ＤＶ電線の径寸法や公称断面積の大きさに応じて使い分けられているもので、ＤＶ電線の公称断面積が１４ｍｍ２を越える場合には、特許文献１及び特許文献２に示される細径のＤＶ電線用のバインドレス碍子ではなく、図６に示されるような、太径のＤＶ電線用のバインドレス碍子５００が使用される。
【０００４】
この図６に示される太径のＤＶ電線用のバインドレス碍子は、碍子本体５０１から突出した複数の突出体５０２、５０３、５０４の周囲に、ＤＶ電線５０５を適宜引き回す構成や略８の字の線状の碍子取付具５０６を通孔５０７に装着する点では、特許文献１等に示される細径のＤＶ電線用のバインドレス碍子と同様であり、押さえ部材５０８を回転させて突出体５０２に遠近するように変位させることで、押さえ部材５０８と突出体５０２との間でＤＶ電線５０５を挟持したり、その挟持を解除したりする点で特有の構成となっている。
【０００５】
そして、図６に示される太径のＤＶ電線用のバインドレス碍子５００にＤＶ電線５０５を係止した後に、ＤＶ電線５０５が弛んだり、当初からＤＶ電線５０５の張りが十分でなかったりした場合には、ＤＶ電線５０５をバインドレス碍子５００の突出体５０２、５０３、５０４から外した後、ＤＶ電線５０５を引っ張って、改めてＤＶ電線５０５をバインドレス碍子５００の突出体５０２、５０３、５０４に引き回して、ＤＶ電線５０５をバインドレス碍子５００に掛止めする作業が一般的に行なわれていた。
【先行技術文献】
【特許文献】
【０００６】
【特許文献１】特開２００９−４４９３９号公報
【特許文献２】特開２００４−９５３０５号公報
【発明の概要】
【発明が解決しようとする課題】
【０００７】
もっとも、ＤＶ電線の公称断面積が３８ｍｍ２、６０ｍｍ２に大きくなると、ＤＶ電線の重量も相対的に大きくなると共に、ＤＶ電線はそもそもにおいて撚り線となっており、ＤＶ電線の撚りの部分で予定外の箇所に引き掛かりやすくなっている。
【０００８】
このため、柱上の作業員が一人で、ＤＶ電線を引っ張り上げる作業を行う共に、引っ張り上げたＤＶ電線をバインドレス碍子の突出体に引き回す作業も行うのは、かかる柱上の作業員が無理な体勢や大きな力でＤＶ電線を引っ張る等の作業を行う必要が生ずるおそれがあるとして、地上の作業員がロープを使ってＤＶ電線を引っ張り上げて一時的に保持し、この引っ張り上げたＤＶ電線が保持されている間に、柱上の作業員がＤＶ電線をバインドレス碍子の突出体から外したり、改めて突出体に引き回したりするという作業を分担して行なう場合があった。
【０００９】
これに伴い、地上の作業員がロープを使ってＤＶ電線を引っ張り上げるにあたって、ロープとＤＶ電線とを確実に取り付けるために、テープをロープとＤＶ電線とに何重にも巻き付ける作業が必要となると共に、ＤＶ電線の張弛の調整が完了した後は、テープを剥ぎ取る作業も必要となるので、架線の腕金等への取り付け作業全体の煩雑化を招いていた。そして、地上の作業員によるロープを使用したＤＶ電線を引っ張り上げる作業も、ＤＶ電線の重量や撚りの部分での引き掛かりやすさによって必ずしも容易ではなかった。
【００１０】
また、ＤＶ電線をバインドレス碍子の全ての突出体から外したのでは、ロープのＤＶ電線への取り付けが不十分だと、ＤＶ電線が落下する不都合も考えられる。また、ロープをＤＶ電線に取り付けて、かかるＤＶ電線をバインドレス碍子の全ての突出体から順次外していく際に、急にＤＶ電線が予定外の突出体からも外れてしまい、柱上の作業員が体勢を崩してしまうことも考えられる。
【００１１】
そこで、本発明は、作業員が一人で、ロープを使用せずに、ＤＶ電線等の架線を、無理な体勢となることなく機械的に引っ張ることを可能として、ＤＶ電線等の架線の張弛の調整を、全ての引き掛け部からＤＶ電線を外して行うことなく安全に作業することができるバインドレス碍子及びこのバインドレス碍子を用いた架線の張弛調整方法を提供することを目的とする。
【課題を解決するための手段】
【００１２】
この発明に係るバインドレス碍子は、絶縁性の素材から成るもので、碍子取付具が装着可能な通孔を有する多面体のブロック状の碍子本体と、前記碍子本体の所要の面から突出して架線を引き掛けることができる複数の引き掛け部とを備え、前記複数の引き掛け部のうちの少なくとも１の引き掛け部は、前記碍子本体に回転自在に取り付けられた回転軸と、前記回転軸と一体に回転する円板とで構成され、前記円板の円周面には前記円板が回転するときに当該円周面に接した前記架線が滑るのを防止する滑り止め手段が形成された回転引き掛け部であると共に、前記回転軸の回転を一方向のみに規制する回転方向規制機構を有することを特徴としている。ここで「絶縁性の素材」は、陶磁器、セラミックス等であっても良いが、滑り止め手段を有する円板等の成形の容易性等から例えば合成樹脂材等が好適である。また、「碍子取付具」とは、バインドレス碍子を腕金等の被支持体に取り付けるための器具である。更に、「架線」には、例えば低圧引込線等が該当する。更にまた、円板の「滑り止め手段」は、例えば円板の円周面において円周方向に並んだ三角形状又は台形状の突部で形成されている。回転引き掛け部の数は、１つでも複数であっても良い。
【００１３】
これにより、架線は、回転引き掛け部の円板の円周面に掛け渡した状態を維持しつつ、他の引き掛け部からは外した状態とし、回転方向規制機構で、架線を張った状態にすることが可能な方向にのみ回転軸が回転するように規制したり、架線を弛める状態にすることが可能な方向にのみ回転軸が回転するように規制したりした後、回転軸を回転させて円板を回転させることにより、円板の円周面に掛け渡された架線は回転引き掛け部の円板の回転方向に従って動いていくので、作業員の力で架線を引っ張るのではなく架線を機械的に所要の方向に引っ張ることが可能となる。このため、作業員は架線を引っ張るときに大きな力を不要とし、作業員が架線を引っ張るために無理な体勢となることもない。また、架線を引き上げるためにケーブルを不要とするので、ケーブルを架線に取り付ける作業やケーブルを架線から外す作業も不要となる。更に、架線をバインドレス碍子の全ての引き掛け部から外すことがないので、架線がバインドレス碍子から外れて落下する危険も回避することができる。
【００１４】
そして、この発明に係るバインドレス碍子では、前記回転方向規制機構は、前記回転軸と一体に回転する歯車と、前記碍子本体の所要の面に軸体を介して揺動可能に取り付けられた係合部材とで構成され、前記係合部材に形成された爪部が前記軸体を中心として揺動することにより、前記歯車の歯と前記係合部材との係合及びその解除が行われることを特徴としている（請求項２）。
【００１５】
これにより、係合部材を、軸部を中心に揺動させて、爪部を歯車の歯に対しある一方向に回転軸が回転するのを規制するように係合させることで、例えば回転軸ひいては円板を、架線を張るために回転させるときに、架線を弛める方向に円板が回転しようとしても規制され、また、係合部材を、軸部を中心に揺動させて、爪部を歯車の歯に対し上記とは反対方向に回転軸が回転するのを規制するように係合させることで、例えば回転軸ひいては円板を、架線を弛めるために回転させるときに、架線を張る方向に円板が回転しようとしても規制される。そして、回転方向規制機構による円板の回転方向の規制も軸部を中心として係合部材を所要方向に揺動させるのみで切り換えることができる。
【００１６】
また、この発明に係るバインドレス碍子では、前記回転軸の回転中心に回転伝達用の棒体を装着するための装着孔が形成されていることを特徴としている（請求項３）。回転伝達用の棒体は、例えばラチェットレンチ等の工具に取り付けられている。
【００１７】
これにより、ラチェットレンチ等の工具が有する回転伝達用棒体を回転軸の装着孔に装着して、ラチェットレンチ等の工具を回転伝達用棒体から回転軸に回転が伝達されるように操作するだけで、円板の円周面に掛け渡された架線は回転引き掛け部の円板の回転方向に従って動いていくので、作業員の力で架線を引っ張るのではなく架線を機械的に所要の方向に引っ張ることが可能となる。
【００１８】
更に、この発明に係るバインドレス碍子では、前記碍子本体の前記回転引き掛け部よりも端側に、前記回転引き掛け部に遠近する方向に変位する押さえ部材が配置されていることを特徴としている（請求項４）。
【００１９】
これにより、回転引き掛け部と押さえ部材とで架線を挟持することによって、架線をより確実にバインドレス碍子に掛止することが可能となる。
【００２０】
更にまた、前記碍子取付具が装着可能な通孔は、前記碍子本体の最も先端側に配置されていると共に、前記碍子本体の通孔を有する先端部は、前記碍子本体の他の部位に対し相対的に回転可能に連結されていることを特徴としている（請求項５）。すなわち、碍子取付具が装着可能な通孔は、碍子本体の押さえ部材よりも端側に配置されている。
【００２１】
これにより、架線がＤＶ電線等の撚線である場合には、架線の張弛を調整するために円板を回転させたときに、架線の撚部分が予定外の箇所に引っ掛かってしまい、架線を引っ張ることができなくなったときに、碍子本体の先端部以外の部位側を回転させることで架線の撚部分の引っ掛りが解除される。
【００２２】
この発明の架線の張弛調整方法は、請求項１から請求項５のいずれかに記載のバインドレス碍子を用いた架線の張弛調整方法であって、前記架線を、前記複数の引き掛け部のうちの前記回転引き掛け部の円板の円周面に掛け渡した状態を維持しつつ、他の引き掛け部からは外した状態する工程と、前記回転方向規制機構で前記回転軸を所要の方向にのみ回転するように規制する工程と、前記回転軸を所要の方向に回転させることにより前記円板も回転させて前記架線を所要の方向に引っ張る工程とから成ることを特徴としたものとなっている（請求項６）。
【００２３】
これにより、円板の円周面に掛け渡された架線を回転引き掛け部の円板の回転方向に従って動かすことができるため、作業員は人力で架線を引っ張らずとも、架線を機械的に所要の方向に引っ張ることが可能となるので、作業員は架線を引っ張るときに大きな力を不要とし、作業員が架線を引っ張るために無理な体勢となることもなくなる。また、架線を引き上げるためにケーブルを使用しないので、ケーブルを架線に確実に取り付けるためにテープをＤＶ電線とケーブルとに巻き付ける工程やケーブルを架線から外すためにテープを剥ぎ取る工程が不要となる。
【発明の効果】
【００２４】
以上のように、請求項１から請求項５に記載の発明によれば、架線について、回転引き掛け部の円板の円周面に掛け渡した状態を維持しつつ、他の引き掛け部からは外した状態とし、回転方向規制機構で、架線を張った状態にすることが可能な方向にのみ回転軸が回転するように規制したり、架線を弛める状態にすることが可能な方向にのみ回転軸が回転するように規制したりした後、回転軸を回転させて円板を回転させることにより、円板の円周面に掛け渡された架線を回転引き掛け部の円板の回転方向に従って動かすことができるので、作業員の力で架線を引っ張るのではなく架線を機械的に所要の方向に引っ張ることが可能となる。これにより、作業員が架線を引っ張るときに大きな力を不要とすることができ、作業員が架線を引っ張るために無理な体勢となることも防止することができる。また、架線を引き上げるためにケーブルを不要とすることができるので、ケーブルを架線に取り付けるための作業やケーブルを架線から外すための作業も不要とすることが可能である。更に、架線をバインドレス碍子の全ての引き掛け部から外さないので、架線がバインドレス碍子から外れて落下する危険も回避することができる。
【００２５】
特に請求項２に記載の発明によれば、係合部材を、軸部を中心に揺動させて、爪部を歯車の歯に対しある一方向に回転軸が回転するのを規制するように係合させることで、例えば回転軸ひいては円板を、架線を張るために回転させるときに、架線を弛める方向に円板が回転しようとするのを規制することができ、また、係合部材を、軸部を中心に揺動させて、爪部を歯車の歯に対し上記とは反対方向に回転軸が回転するのを規制するように係合させることで、例えば回転軸ひいては円板を、架線を弛めるために回転させるときに、架線を張る方向に円板が回転しようとするのを規制することができるので、作業の安全性を向上さることが可能となる。そして、回転方向規制機構による円板の回転方向の規制も、係合部材を所要方向に揺動させて係合部材の爪部と歯車の歯との係合を変更するのみで簡易に切り換えることができる。
【００２６】
特に請求項３に記載の発明によれば、ラチェットレンチ等の工具が有する回転伝達用棒体を回転軸の装着孔に装着して、ラチェットレンチ等の工具を回転伝達用棒体から回転軸に回転が伝達されるように操作するだけで、円板の円周面に掛け渡された架線は回転引き掛け部の円板の回転方向に従って動いていくため、作業員の力で架線を引っ張るのではなく架線を機械的に所要の方向に引っ張ることが可能となるので、作業の簡略化と安全の向上とを図ることができる。
【００２７】
特に請求項４に記載の発明によれば、回転引き掛け部と押さえ部材とで架線を挟持することによって、架線をより確実にバインドレス碍子に掛止することが可能となる。しかも、回転引き掛け部の円板の円周面に掛け渡した状態を維持しつつ、他の引き掛け部からは外した状態とするときに、押さえ部で架線の動きを規制しない程度に押さえ部を回転引き掛け部に近接させることで、押さえ部がガイドとなり、架線が回転引き掛け部から外れるのを抑制することが可能となる。
【００２８】
特に請求項５に記載の発明によれば、架線がＤＶ電線等の撚線である場合には、架線の張弛を調整するために円板を回転させたときに、架線の撚部分が予定外の箇所に引っ掛かってしまい、架線を引っ張ることができなくなったときに、碍子本体の先端部以外の部位側を回転させることで架線の撚部分の引っ掛りを解除することが可能であるので、作業の能率化、迅速化を高めることができる。
【００２９】
請求項６に記載の発明によれば、円板の円周面に掛け渡された架線を回転引き掛け部の円板の回転方向に従って動かすことができるため、作業員は人力で架線を引っ張らずとも、架線を機械的に所要の方向に引っ張ることが可能となるので、作業員は架線を引っ張るときに大きな力を不要とし、作業員が架線を引っ張るために無理な体勢となることもなくなる。また、請求項６に記載の発明によれば、架線を引き上げるためにケーブルを使用しないので、ケーブルを架線に確実に取り付けるためにテープをＤＶ電線とケーブルとに巻き付ける工程やケーブルを架線から外すためにテープを剥ぎ取る工程が不要となる。
【図面の簡単な説明】
【００３０】
【図１】図１は、この発明に係るバインドレス碍子の構成を示す説明図であり、図１（ａ）は、上記バインドレス碍子の側面図、図１（ｂ）は、上記バインドレス碍子の平面図、図１（ｃ）は、上記バインドレス碍子の碍子本体とその先端部及びこの先端部が有する連結部を示す断面図である。
【図２】図２は、上記バインドレス碍子の回転引き掛け部と通常の引き掛け部とにＤＶ電線を引き回し、先端部に碍子取付具を取り付け、更に、碍子取付具を腕金等に設けた金具に取り付けた状態を示す説明図である。
【図３】図３（ａ）は、ＤＶ電線を張った状態にするためにＤＶ電線を回転引き掛け部に引き掛け、他の引き掛け部から外した状態で、ＤＶ電線を引っ張る作業を示す説明図であり、図３（ｂ）は、円板が回転方向規制機構の係合部材の爪部により反時計回りの方向にのみ回転するように規制された状態を示す拡大図である。
【図４】図４（ａ）は、ＤＶ電線を弛めるためにＤＶ電線を回転引き掛け部に引き掛け、他の引き掛け部から外した状態で、ＤＶ電線を引っ張る作業を示す説明図であり、図４（ｂ）は、円板が回転方向規制機構の係合部材の爪部により時計回りの方向にのみ回転するように規制された状態を示す拡大図である。
【図５】図５は、回転軸の装着孔にラチェットレンチの回転伝達用棒体を装着する工程を示す説明図である。
【図６】図６は、従来の太径のＤＶ電線用のバインドレス碍子の構成及びこのバインドレス碍子の突出体にＤＶ電線を引き回した状態を示す説明図である。
【発明を実施するための形態】
【００３１】
以下、この発明の実施形態を図面に基づいて説明する。
【００３２】
図１から図５において、この発明に係るバインドレス碍子１の実施形態の一例が示されている。このバインドレス碍子１は、例えば公称断面積が１４ｍｍ２を越える太径のＤＶ電線２、特に公称断面積が３８ｍｍ２、６０ｍｍ２である、より太径のＤＶ電線２に対応したものである。尚、ＤＶ電線２は、図２から図４では簡略化して図示されているが、複数の電線を撚り合せて成る撚り線である。
【００３３】
バインドレス碍子１は、例えば合成樹脂等の素材で形成されているもので、対峙する平坦な側面３１ａ、３１ｂを有する薄い略直方体状のブロック部分３１を備えた碍子本体３と、この碍子本体３のブロック部分３１の長手方向の一方端側の部位において側面３１ａ、３１ｂから突出した引き掛け部４、５と、この碍子本体３のブロック部分３１の長手方向の略中央部位において側面３１ａ、３１ｂから突出した引き掛け部６、７とを有している。
【００３４】
これらの引き掛け部４、５、６、７は、特に図１（ｂ）に示されるように、頭部４ａ、５ａ、６ａ、７ａと柱部４ｂ、５ｂ、６ｂ、７ｂとで構成されており、碍子本体３のブロック部分３１と一体形成されている。尚、引き掛け部４、５、６、７は、この実施形態では、側面３１ａ、３１ｂの双方から、引き掛け部４と引き掛け部５、引き掛け部６と引き掛け部７とで対称方向に延びたものとなっているが、片側の側面３１ａ側に並らんだ引き掛け部４、６のみ、又は片側の側面３１ｂ側に並んだ引き掛け部５、７のみであっても良い。
【００３５】
そして、バインドレス碍子１は、碍子本体３のブロック部分３１において、当該ブロック部分３１の長手方向のうち引き掛け部５を有する側の端とは反対側の端の近傍に、回転引き掛け部９を有している。回転引き掛け部９は、この実施形態では、回転軸９１と、この回転軸９１の長手方向の両端側に配置された２つの円板９２、９３とで構成されている。
【００３６】
このうち、回転軸９１は、ブロック部分３１に貫通しつつ回転可能に装着されており、回転軸９１の長手方向の一方端部分は側面３１ａから突出し、回転軸９１の長手方向の他方端部分は側面３１ｂから突出している。回転軸９１の回転中心を有する側には、後述するラチェットレンチ１７の回転伝達用棒体１７１を装着可能な装着孔９４が形成されている。装着孔９３の開口形状は、この実施形態では、六角形状をなしているが、必ずしもこれに限定されず、三角形状、四角形状、五角形状等であっても良い。そして、装着孔９３は、回転軸９１の側面３１ａ側にのみ開口していても、回転軸９１の側面３１ａ側と側面３１ｂ側との双方に開口していても良い。
【００３７】
円板９２、９３は、例えば公称断面積が３８ｍｍ２、６０ｍｍ２  のＤＶ電線２の直径寸法と同じかそれよりも若干大きな厚みを有するもので、円板９２はブロック部分３１の側面３１ａ側に配置され、円板９３はブロック部分３１の側面３１ｂ側に配置されている。円板９２、９３の円周面には、ＤＶ電線２が当接した状態で円板９２、９３が回転すると、ＤＶ電線２も一緒に動くように、ＤＶ電線２の滑り止めとして、円板９２、９３の円周方向に例えば三角形状の突部が複数並んで形成されている。
【００３８】
そして、円板９２は、側面３１ａに近接しておらず、後述する回転方向規制機構１０を構成する歯車１０１が円板９２と側面３１ａとの間に適宜に配することができるように、所要の間隔を空けて回転軸９１に取り付けられている。また、この実施形態では、円板９３も側面３１ｂに近接しておらず、側面３１ｂに対し円板９２と同じ間隔を空けて回転軸９１に取り付けられている。もっとも、円板９３は、この構成に限定されず、側面３１ｂに近接した位置で回転軸９１に取り付けられていても良い。
【００３９】
また、回転引き掛け部９は、例えばブロック部分３１の側面３１ａ側にのみ回転軸９１が突出し、この回転軸９１に円板９２が装着されるものとしても良い。
【００４０】
更に、バインドレス碍子１は、この実施形態では、碍子本体３のブロック部分３１の側面３１ａ側において、回転方向規制機構１０を有している。回転方向規制機構１０は、この実施形態では、特に図３（ｂ）及び図４（ｂ）に示されるように、回転軸９１に取り付けられた歯車１０１と、軸部１０３によりブロック部分３１の側面３１ａに揺動可能に取り付けられた係合部材１０２とで構成されている。
【００４１】
このうち、歯車１０１は、回転軸９１に固着されて当該回転軸９１と一体に回転するようになっていると共に、複数の台形状の歯を有したものとなっている。係合部材１０２は、２つの爪部１０２ａ、１０２ｂを有するプレート状のもので、軸部１０３を中心として、爪部１０２ａが歯車１０１に近づいていく方向（図３（ｂ）、図４（ｂ）中の反時計回りの方向）に揺動して傾いたり、爪部１０２ｂが歯車１０１に近づいていく方向（図３、図４中の時計回りの方向）に揺動して傾いたりする。
【００４２】
これに伴い、図３（ｂ）に示されるように、爪部１０２ａが歯車１０１の歯と噛み合うように係合部材１０２が傾いた状態では、図３（ｂ）の矢印で示す反時計回りの方向（ＤＶ電線２を張る方向）への歯車１０１の回転を許容しつつ、反対に時計回りの方向（ＤＶ電線２を弛める方向）への歯車１０１の回転は規制されたものとなる。また、図４（ｂ）に示されるように、爪部１０２ｂが歯車１０１の歯と噛み合うように係合部材１０２が傾いた状態では、図４（ｂ）の矢印で示す時計回りの方向（ＤＶ電線２を弛める方向）への歯車１０１の回転を許容しつつ、反対に反時計回りの方向（ＤＶ電線２を張る方向）への歯車１０１の回転は規制されたものとなる。
【００４３】
更にまた、バインドレス碍子１の碍子本体３は、ブロック部分３１に連接された柱状部分３２を備えている。この柱状部分３２は、ブロック部分３１の回転引き掛け部９を有する端部からブロック部分３１の長手方向に沿って突出しているもので、押さえ部材１２が外装されていると共に、碍子取付具１３が装着される通孔１４が形成されている。尚、通孔１４は、この実施形態では、引込線引留器具１６の円弧状の部分が装着されるように長孔となっている。
【００４４】
そして、柱状部分３２は、この実施形態では、ブロック部分３１と一体形成された基部３２１と、基部３２１に対しブロック部分３１とは反対側に位置する先端部３２２とで構成されている。そして、基部３２１と先端部３２２とは、連結機構１５により相対的に回転可能に連結されている。
【００４５】
基部３２１は、全体又はその一部が、断面が真円の円柱状となっており、この円柱状部分に押さえ部材１２が外装されている。そして、押さえ部材１２を回転させることにより、押さえ部材１２が回転引き掛け部９に遠近するかたちで変位することが可能となっている。また、先端部３２２に碍子取付具１３の装着される通孔１４が配置されている。
【００４６】
連結機構１５は、例えば図１（ｃ）に示されるように、先端部３２２の基部３２１側において基部３２１に向かって延びると共に頭部に球体部分を有する軸棒１５１と、基部３２１の先端部３２２側に開口して、軸棒１５１が回転可能に挿入される挿入孔１５２とで構成されている。
【００４７】
次に、このような構成のバインドレス碍子１を用いて電柱に架設された腕金（図示せず。）に例えば公称断面積が３８ｍｍ２、６０ｍｍ２  のＤＶ電線２が取付けられた状態について、図２を用いて説明する。
【００４８】
バインドレス碍子１は、引込線引留器具１６、ひいては腕金に碍子取付具１３を介して取り付けられるようになっている。引込線引留器具１６は、公知のもので、例えば複数の貫通した取付孔１６１を有する笠形状乃至は扇形状をなしており、例えば腕金の長手方向の両端に固定されている。碍子取付具１３も、公知のもので、例えば８の字形状をなしており、１つの線状部材を複数にわたって曲げることで８の字形状となっていると共に、一方側が引込線引留器具１６の取付孔１６１に取付けられていると共に、他方側がバインドレス碍子１の通孔１４に取り付けられている。
【００４９】
そして、腕金に引込線引留器具１６及び碍子取付具１３を介して取付けられた状態のバインドレス碍子１に対し、かかるバインドレス碍子１の引き掛け部４、６、回転引き掛け部９の円板９２又はバインドレス碍子１の引き掛け部５、７、引き掛け部９の円板９３乃至はその双方にＤＶ電線２を適宜掛け渡した後、押さえ部材１２を回転させて押さえ部材１２と円板９２又は９３とでＤＶ電線２を挟むことで、図２に示されるように、ＤＶ電線２は、バインドレス碍子１に掛け止めされ、ひいては腕金に間接的に取付けられた状態となる。
【００５０】
一方で、一旦、図２に示されるように、ＤＶ電線２を例えば引き掛け部４、６、回転引き掛け部９の円板９２に適宜掛け渡し、ＤＶ電線２を円板９２と押さえ部材１２とで挟んだ後に、ＤＶ電線２を更に張った状態にしたり、ＤＶ電線２の張りを弛めたりする場合について、図３及び図４を用いて説明する。
【００５１】
ＤＶ電線２について、更に張った状態にするには、図３（ａ）に示されるように、ＤＶ電線２を引き掛け部４、６から外し、回転引き掛け部９の円板９２にのみ掛け渡した状態とすると共に、係合部材１０２の爪部１０２ａが歯車１０１の歯と噛み合う状態に係合部材１０２を揺動する。この場合、押さえ部材１２を円板９２側に変位させて、押さえ部材１２と円板９２との間に、ＤＶ電線２の直径寸法より大きな通路をＤＶ電線２のガイド用に形成するようにしても良い。そして、ＤＶ電線２を、図３（ａ）に示されるように、押さえ部材１２と円板９２との間から、下方に垂れ下がる状態とする。これにより、回転軸９１を図３（ｂ）の矢印で示す反時計回りに回転させることで、ＤＶ電線２は、図３（ａ）の白抜き矢印の方向に動くので、ＤＶ電線２を更に張った状態とすることができる。
【００５２】
これに対し、ＤＶ電線２について張った状態から弛めるためには、図４（ａ）に示されるように、ＤＶ電線２を引き掛け部４、６から外し、回転引き掛け部９の円板９２にのみ掛け渡した状態とすると共に、係合部材１０２の爪部１０２ｂが歯車１０１の歯と噛み合う状態に係合部材１０２を揺動する。この場合も、押さえ部材１２を円板９２側に変位させて、押さえ部材１２と円板９２との間にガイド用に前記通路を形成するようにしても良い。そして、ＤＶ電線２を、図４（ａ）に示されるように、押さえ部材１２と円板９２との間から、下方に垂れ下がる状態とする。これにより、回転軸９１を図４（ｂ）の矢印で示す時計回りに回転させることで、ＤＶ電線２は図４（ａ）の白抜き矢印の方向に動くので、ＤＶ電線２を張った状態から弛めることができる。
【００５３】
そして、回転軸９１を、図３（ｂ）の矢印で示す反時計回りに回転させたり、図４（ｂ）の矢印で示す時計回りに回転させたりするには、図５に示されるように、ラチェットレンチ１７の回転伝達用棒体１７１を回転軸９１の装着孔９４に挿入して回転伝達棒１７１が所要方向に回転するようにラチェットレンチ１７を操作すれば良い。
【００５４】
他方で、ＤＶ電線２は撚り線であるため、ＤＶ電線２について、図３に示すように更に張った状態としたり、図４に示されるように、張った状態から弛めたりする場合、更には、図２に示されるように、引き掛け部４、６、９に引き掛ける場合に、ＤＶ電線２の撚り部分が予定外の箇所に引き掛かる場合があるが、その場合には、バインドレス碍子１の碍子本体３の柱状部分３２のうち基部３２１側、すなわち、先端部３２２以外の部位を連結機構１５の軸棒１５１を回転中心として時計回り若しくは反時計回りに回転させることで、ＤＶ電線２の撚り部分の予定外の箇所での引き掛りを解除することができる。
【００５５】
最後に、図示しないが、引き掛け部６、７の代わりに回転引き掛け部９と同様の構成の回転引き掛け部を用いても良い。
【符号の説明】
【００５６】
１  バインドレス碍子
２  ＤＶ電線（架線）
３  碍子本体
３１  ブロック部分
３１ａ  側面
３１ｂ  側面
３２  柱状部分
３２１  基部
３２２  先端部
４  引き掛け部（他の引き掛け部）
５  引き掛け部（他の引き掛け部）
６  引き掛け部（他の引き掛け部）
７  引き掛け部（他の引き掛け部）
９  回転引き掛け部
９１  回転軸
９２  円板
９３  円板
９４  取付孔
１０  回転方向規制機構
１０１  歯車
１０２  係合部材
１０３  軸部
１２  押さえ部材
１３  碍子取付具
１４  通孔
１５  連結機構
１５１  軸棒
１５２  挿入孔
１６  金具
１６１  取付孔
１７  ラチェットレンチ（工具）
１７１  回転伝達用棒体（棒体）
【要約】
【課題】作業員が一人で、ロープを使用せずに、ＤＶ電線等の架線を、無理な体勢となることなく機械的に引っ張ることを可能として、ＤＶ電線等の架線の張弛の調整を、全ての引き掛け部からＤＶ電線を外して行うことなく安全に作業することができるバインドレス碍子を提供する。
【解決手段】バインドレス碍子１は、碍子本体３と突出体状の引き掛け部４〜８と回転引き掛け部９とを備える。回転引き掛け部９は、回転軸９１と円板９２、９３とで構成され、円板９２の円周面に滑り止め手段が形成されている。また、バインドレス碍子１は、回転軸９１の回転を一方向に規制する回転方向規制機構１０を有する。更に、バインドレス碍子１の碍子本体３は、通孔１４を有する先端部３２２が、基部３２１と連結機構１５により相対的に回転可能に連結されている。以上の構成によれば、回転軸９１を工具で回転させることで、円板９２が回転してＤＶ電線２を引っ張ることができる。
【選択図】図３【図１】
0005547303.tif 000002
【図２】
0005547303.tif 000003
【図３】
0005547303.tif 000004
【図４】
0005547303.tif 000005
【図５】
0005547303.tif 000006
【図６】
0005547303.tif 000007